(57)【要約】【課題】簡単に分解・組立でき、運送時や保管時の占有容積を小さくできて運送・保管コストの低減を図れ、また簡単に分解して清掃でき、内部を容易に清潔できる計量米びつを提供する。【解決手段】貯米空間５を形成する上部体２と下部体３とで構成するとともに、下部体３を上部体２の貯米空間５内に収納可能とし、かつこれら上部体２を下部体３上に載置した状態で止め具４にて分離可能に結合固定し、また下部体２を、下部筐体１１と、下部筐体１１上に着脱自在に配置された計量升１２と、下部筐体１１の前面上部に移動操作可能に装着された計量升１２の操作部材１３と、下部筐体１１の前面下部に挿脱自在に装着された米受け容器１４にて構成し、簡単に分解できるようにした。【選択図】      図１
2004344621.tif 000002
【特許請求の範囲】
【請求項１】
貯米空間を形成する上部体と、計量部と米受け容器を配置した下部体とで構成するとともに、下部体を上部体の貯米空間内に収納可能とし、かつこれら上部体を下部体上に載置した状態で止め具にて分離可能に結合固定したことを特徴とする計量米びつ。
【請求項２】
下部体は、下部筐体と、下部筐体上に着脱自在に配置された計量升と、下部筐体の前面上部に移動操作可能に装着された計量升の操作部材と、下部筐体の前面下部に挿脱自在に装着された米受け容器とを備えていることを特徴とする請求項１記載の計量米びつ。
【請求項３】
下部筐体の上面に計量升の下半部を回転自在に収容保持する凹部を形成するとともに、下部筐体の上面と上部体との間に、計量升の上半部を回転自在に収容保持する凹部を形成した升保持部材を介在したことを特徴とする請求項２記載の計量米びつ。
【発明の詳細な説明】
【０００１】
【発明の属する技術分野】
本発明は、計量米びつに関するものである。
【０００２】
【従来の技術】
従来、計量米びつとして、厨房用キャビネット内に、貯米タンクと、周壁に開口を有する円筒状升箱と、この円筒状升箱を回転操作するレバー操作機構と、円筒状升箱で計量された米を受ける挿脱自在な米受けトレーとを内蔵し、常態では円筒状升箱の開口が貯米タンクの底面開口に連通し、円筒状升箱を回転操作すると円筒状升箱の周壁にて貯米タンクの底面開口を閉じて米を計量するとともに、計量した米を開口から米受けトレーに投入するようにした、回転升−レバー操作方式のものが知られている（例えば、特許文献１参照。）。
【０００３】
また、米びつ本体内の上部に貯米タンクを設けるとともに、その下部に貯米タンクの底面開口より前方に開口を形成したガイド板を配置し、上下に開口を有する升部をガイド板に沿って前後に摺動自在に配置するとともに、升部の後縁上端から後方に摺り切り板を延設し、ガイド板の開口から落下した米を受ける挿脱自在な米受けトレーとを備えたスライド升方式のものも知られている（特許文献２参照。）。
【０００４】
また、回転升方式で、レバー操作機構に代えて、円筒状升箱に同芯状に固定した傘歯車とそれに噛合する円弧状ラックを有する揺動自在なレバーとから成る歯車レバー機構を設けたものも知られている（特許文献３参照。）。
【０００５】
【特許文献１】
実開平７−３６９９１号公報
【０００６】
【特許文献２】
特開平１０−３１４０５２公報
【０００７】
【特許文献３】
特開２００３−３８３６５公報
【０００８】
【発明が解決しようとする課題】
ところが、上記従来の何れの計量米びつにおいても、貯米タンクが一体形成されている筐体内に、計量機構や操作機構を一体的に組み付けて構成されており、その筐体が一体物で構成されているため、運送時や保管時における占有容積が大きく、運送や保管にコストがかかるという問題があり、また分解することが極めて困難であるため、分解して内部を清掃することは実際上不可能であり、そのため黴や害虫の発生を予防するための清掃が困難であるという問題がある。
【０００９】
本発明は、上記従来の問題点に鑑み、簡単に分解・組立でき、運送時や保管時の占有容積を小さくできて運送・保管コストの低減を図れ、また簡単に清掃できて内部を清潔にできる計量米びつを提供することを目的としている。
【００１０】
【課題を解決するための手段】
本発明の計量米びつは、貯米空間を形成する上部体と、計量部と米受け容器を配置した下部体とで構成するとともに、下部体を上部体の貯米空間内に収納可能とし、かつこれら上部体を下部体上に載置した状態で止め具にて分離可能に結合固定したものであり、止め具を操作して上部体と下部体に分解し、その上部体の貯米空間内に下部体を収納することによってコンパクトに収めることができ、運送時や保管時の占有容積を小さくできて運送・保管コストの低減を図ることができる。
【００１１】
また、下部体は、下部筐体と、下部筐体上に着脱自在に配置された計量升と、下部筐体の前面上部に移動操作可能に装着された計量升の操作部材と、下部筐体の前面下部に挿脱自在に装着された受け容器とを備えていると、貯米空間を有する上部体と、操作部材を装着された下部筐体と、計量升と、受け容器とに分解でき、それぞれがシンプルな構成であるため、水洗いや拭き取り等により容易に清掃することができ、簡単な作業によって清潔に保つことができる。
【００１２】
また、下部筐体の上面に計量升の下半部を回転自在に収容保持する凹部を形成するとともに、下部筐体の上面と上部体との間に、計量升の上半部を回転自在に収容保持する凹部を形成した升保持部材を介在すると、単純な構成の升保持部材を設けるだけで、上部体及び下部筐体の形状が単純になるため、製作コストを低減できるとともに、一層容易に清掃することができる。
【００１３】
【発明の実施の形態】
以下、本発明の計量米びつの一実施形態について、図１〜図１０を参照して説明する。
【００１４】
図１〜図５において、計量米びつ１は、コンパクトな幅（例えば２０ｃｍ程度）の空間に配置できるように前面幅が比較的小さく、前後方向の奥行き寸法は各種厨房用キャビネット等の規定寸法（例えば４２ｃｍ）に対応し、高さ寸法は例えば１０数Ｋｇ程度の米を収容できる貯米容積を確保できる寸法（例えば４０ｃｍ程度）に設定された直方体状である。この計量米びつ１は、上部体２と下部体３にて構成されており、かつ上部体２を下部体３上に載置した状態で止め具４にて分離可能に結合固定されている。
【００１５】
上部体２は、ホッパー状の貯米空間５を構成しており、その下部の幅方向中央部で前部寄りの位置に流出口６が配設され、この流出口６に向けて四方から下方傾斜した角錐状の傾斜底壁５ａが設けられている。この貯米空間５の前面部を除いて周壁の下縁部の若干内側に入った位置から下方に向けてスカート部７が延出されている。上部体２は、貯米空間５内に収容されている米の量が外部から見られるように透明な合成樹脂成形品に構成され、その貯米空間５の上面は開放され、蓋体８にて開閉自在に閉鎖されている。スカート部７の両側壁下端部の前後方向中間部には、止め具４を嵌入させる操作凹部９が形成され、その下端に止め具４が係合する係止穴１０ａを有する係合壁１０が設けられている。
【００１６】
下部体３は、下部筐体１１と、流出口６の直下位置の下部筐体１１上に着脱可能に配置された略円筒状の計量升１２と、この計量升１２を回転操作するように、下部筐体１１の前面上部に上下移動操作可能に装着された計量升１２の操作部材１３と、計量升１２で計量された米を受けて外部に取り出せるように、下部筐体１１の前面下部に挿脱自在に装着された受け容器１４とを備えている。１４ａは引き出し用の把手凹部である。
【００１７】
下部筐体１１の上面の幅方向中央部には、後端部を除いてほぼ全長にわたって計量升１２を配置するための凹入空間１５が形成されており、かつその底壁１５ａの計量升１２の配置部は、計量升１２の下半部を回転自在に収容保持する凹部１６が形成され、その下部に計量された米を受け容器１４に投下する投下口１７が形成されている。また、下部筐体１１の凹入空間１５の底壁１５ａと、上部体２の流出口６との間には、計量升１２の上半部を回転自在に収容保持する凹部１９を形成した升保持部材１８が介在されている。凹部１９の上部には、流出口６の外周に嵌合するとともに貯米空間５の傾斜底壁５ａの下面に係合する嵌合口部２０が突出形成され、升保持部材１８の外周部は底壁１５ａに形成された浅い嵌合凹部２１に嵌合した状態で係止されている。
【００１８】
計量升１２の略円筒状の周壁には、図６に示すように、流出口６に対応する開口２２が形成され、かつその開口２２の回転方向側の側縁に隣接する部分に米を円滑に投下するシュート用の平面壁２３が形成され、その外面に複数の円弧状の補強鍔２３ａが適当間隔おきに突設されている。
【００１９】
計量升１２の前端壁１２ａの軸芯部から回転操作軸部２４が一体的に突設され、その先端面にカム円板２５が設けられている。なお、回転操作軸部２４は、材料を節約しながら軸剛性を確保し、かつ容易に成形できるようにするため断面円形の中実軸ではなく、断面十字型に成形され、かつその中間部に円形鍔２４ａを設けることで円滑に回転支持できるようになされている。カム円板２５には、軸芯部近傍から外周縁に向けて溝カム２６が形成され、その外周端部２６ａは開放されている。さらに、この外周端部２６ａは、図１０に示すように、計量升１２を開口２２が投下口１７に対向する位置に回転させた状態で、この溝カム２６に係合する係合部材２７の係合を円滑に解除して上方に引上げることができるように屈曲形成されている。また、計量升１２の後端壁１２ｂの軸芯部には支軸２８が突設されている。
【００２０】
計量升１２内の後端部には、図６（ｄ）、（ｅ）に示すように、無洗米用の調整部材２９を挿入して装着する嵌合溝２９ａが設けられている。この嵌合溝２９ａは、その前縁に沿って計量升１２の内面に微小な突部２９ｂを突設することによって形成されている。この調整部材２９を装着することによって、嵩密度の高い無洗米を計量するときにその容量を低減することができ、水との配合比が適正になって適正に炊飯することができる。
【００２１】
上記回転操作軸部２４及び支軸２８を回転自在に支持するため、凹入空間１５の底壁１５ａの凹部１６及び升保持部材１８の凹部１９の前後の対応する部分に、それぞれ半円筒状の軸受筒部３０、３１が形成されている。また、凹入空間１５の前端部は、カム円板２５を収容するようにさらに深く凹入した凹入部３２が形成されている。
【００２２】
下部筐体１１の前面上部には、操作部材１３を収納配置する操作凹部３３が形成され、その奥壁３３ａの略中央部に上下方向のスリット３４が形成され、操作部材１３から後方に延出された連結軸３５がこのスリット３４を貫通し、その後端に溝カム２６に係合する係合部材２７が固定されている。スリット３４が形成されている操作凹部３３の奥壁３３ａは凹入部３２の前面壁の一部を構成し、この奥壁３３ａとカム円板２５とがほぼ密接するように配置構成され、カム円板２５でスリット３４が閉鎖されてスリット３４から害虫等が内部に侵入するのを防止している。
【００２３】
止め具４は、図３、図４に示すように、断面倒立Ｌ字状でその下部が、下部筐体１１の両側壁の上端部に形成された枢支凹部３６内に収納配置されるとともに、その前後端が支軸３７にて内外に揺動自在に枢支されている。
【００２４】
また、操作凹部３３の一側方には、計量状態と復帰状態に応じた操作部材１３の位置を表示する表示３８が設けられている。下部筐体１１の下端面の後端両側部には、必要時に計量米びつ１を容易に前方に引き出せるように車輪３９が装着されている。。
【００２５】
以上の構成の計量米びつ１において、運搬時や保管時には、図７、図８に示すように、上部体２と下部体３に分解した状態で、上部体２の貯米空間５内に、下部体３を倒立状態で収納することでコンパクトに収めることができ、運送時や保管時の占有容積を小さくできて運送・保管コストの低減を図ることができる。
【００２６】
組立時には、止め具４を外側に開いた状態で下部体３上に上部体２を載置し、止め具４を内側に揺動して係合壁１０に係合させるだけで、図１〜図３に示すように組み立てることができる。
【００２７】
また、清掃するために分解する際には、止め具４を外側に開き、上部体２を上方に引き上げて上部体２を分離し、下部体２は、図４に示すように、升保持部材１８を上方に取り外し、操作部材１３を下方に押し下げ、カム２６と係合部材２７の係合をカム円板２５の上方への引上げによって解除できる状態にし、計量升１２を上方に引上げて取り外し、米受け容器１４を引き出して取り出すことにより、升保持部材１８と、計量升１２と、米受け容器１４と、操作部材１３及び係合部材２７と止め具４を有する下部筐体１１とに分解され、それぞれ単純な形状及び構成であるため、水洗いや拭き取り等によって容易に清掃することができ、また清掃後は逆の手順で簡単に組み付けることができ、簡単な作業によって清潔に保つことができる。
【００２８】
また、下部筐体１１の上面に計量升１２の下半部を回転自在に収容保持する凹部１６を形成するとともに、下部筐体１１の上面と上部体２との間に、計量升１２の上半部を回転自在に収容保持する凹部１９を形成した升保持部材１８を介在させたことにより、単純な構成の升保持部材１８を設けるだけで、上部体２及び下部筐体１１の形状を単純にすることができ、製作コストを低減できるとともに、一層容易に清掃することができる。
【００２９】
また、使用時には、操作部材１３を上方に引上げた状態で、蓋体８を開いて貯米空間５内に米を投入して収容しておく。その状態では、図９に示すように、計量升１２の開口２２が貯米空間５の流出口６に臨んでおり、貯米空間５内の米が計量升１２内に充填されている。
【００３０】
次に、米を計量して取り出す際には、操作部材１３を下方に押し下げる。すると、係合部材２７がスリット３４に沿って下方に移動するのに伴って係合部材２７と溝カム２６の係合により、カム円板２５、回転操作軸２４を介して、図１０に示すように、計量升１２が回転し、計量升１２の周壁にて貯米空間５の流出口６が閉鎖されるとともに、開口２２が投下口１７に臨み、計量升１２にて計量された米が米受け容器１４内に投下される。その際、計量升１２の周壁に平面壁２３を設けていることで、計量升１２内の米を円滑に排出することができ、米が残って計量が不正確になるという恐れがない。その後、操作部材１３を上方に引き上げて元の状態に復帰させる。この操作部材１３の押し下げ、引き上げの動作を必要な米の量に応じて繰り返すことにより、必要量の米を米受け容器１４内に取り出すことができる。
【００３１】
また、無洗米を使用する場合には、計量升１２に形成した嵌合溝２９ａ内に、調整部材２９を挿入して装着する。これにより、計量升１２の内部容積が調整部材２９の体積分だけ減り、嵩密度の高い無洗米の場合にも炊飯器に入れる水の量を通常の米の場合と同一にしながら米と水の量比を適正にすることができる。また、この調整部材２９の装着時に、図６（ｂ）に仮想線で示すように、調整部材２９を開口２２から真っ直ぐ押し込むだけで良いので、非常に簡単な作業で装着することができる。
【００３２】
なお、上記実施形態の説明では、操作部材１３は操作位置でそのまま停止し、上下両方向の移動をともに強制操作するようにした例を示したが、操作部材１３を上方に移動付勢するばね手段を設けて、計量升１２が常に図９に状態に自動的に復帰するように構成しても良い。
【００３３】
【発明の効果】
本発明の計量米びつによれば、貯米空間を形成する上部体と下部体とで構成するとともに、下部体を上部体の貯米空間内に収納可能とし、かつこれら上部体を下部体上に載置した状態で止め具にて分離可能に結合固定したので、止め具を操作して上部体と下部体に分解し、その上部体の貯米空間内に下部体を収納することによってコンパクトに収めることができ、運送時や保管時の占有容積を小さくできて運送・保管コストの低減を図ることができる。
【００３４】
また、下部体を、下部筐体と、下部筐体上に着脱自在に配置された計量升と、下部筐体の前面上部に移動操作可能に装着された計量升の操作部材と、下部筐体の前面下部に挿脱自在に装着された米受け容器にて構成し、分解自在とすることで、それぞれがシンプルな構成であるため水洗いや拭き取り等により容易に清掃することができ、簡単な作業によって清潔に保つことができる。
【図面の簡単な説明】
【図１】本発明の計量米びつの一実施形態の外観斜視図である。
【図２】同実施形態の計量米びつを長手方向に縦断した断面図である。
【図３】同実施形態の計量米びつを幅方向に縦断した断面図である。
【図４】同実施形態の計量米びつの下部体の分解斜視図である。
【図５】同実施形態の計量米びつの下部構成を示す長手方向の拡大縦断面図である。
【図６】同実施形態の計量米びつの計量升を示し、（ａ）は平面図、（ｂ）は側面図、（ｃ）は部分断面正面図、（ｄ）は無洗米用の調整部材の平面図、（ｅ）は同調整部材の正面図である。
【図７】同実施形態の計量米びつを分解収納した状態の長手方向の縦断面図である。
【図８】同実施形態の計量米びつを分解収納した状態の幅方向の縦断面図である。
【図９】同実施形態の計量米びつにおける下部構成を示す幅方向の拡大縦断面図である。
【図１０】同実施形態の計量米びつにおける下部構成の計量時の状態を示す幅方向の拡大縦断面図である。
【符号の説明】
１  計量米びつ
２  上部体
３  下部体
４  止め具
５  貯米空間
１１  下部筐体
１２  計量升
１３  操作部材
１４  米受け容器
１６  凹部
１８  升保持部材
１９  凹部
【図１】
2004344621.tif 000003
【図２】
2004344621.tif 000004
【図３】
2004344621.tif 000005
【図４】
2004344621.tif 000006
【図５】
2004344621.tif 000007
【図６】
2004344621.tif 000008
【図７】
2004344621.tif 000009
【図８】
2004344621.tif 000010
【図９】
2004344621.tif 000011
【図１０】
2004344621.tif 000012